【手続補正書】
【提出日】平成26年12月8日(2014.12.8)
【手続補正１】
【補正対象書類名】特許請求の範囲
【補正対象項目名】全文
【補正方法】変更
【補正の内容】
【特許請求の範囲】
【請求項１】
１５日未満で有機材料を処理するための多フェーズ方法であって、
（ａ１）前記有機材料が加水分解される、第１のフェーズと；
（ａ２）前記第１のフェーズと一部重複する第２のフェーズであって、前記（ａ１）の加水分解された材料が、酸生成及び酢酸生成に供され、水素、二酸化炭素、揮発性有機酸及びメタン生成前駆体を含む材料を得る、第２のフェーズと；
（ａ３）前記第２のフェーズと一部重複する第３のフェーズであって、前記（ａ２）中の材料中の前記メタン生成前駆体が、メタンに変換され、前記（ａ２）中の材料が、さらに脱窒に供される、第３のフェーズと；
（ａ４）前記第３のフェーズと一部重複する第４のフェーズであって、前記（ａ３）からの材料が、安定化及び先祖返りに供される、第４のフェーズと；
を備える多フェーズ方法。
【請求項２】
前記方法が、低温殺菌のステップ及び濃縮のステップの少なくとも一方を更に備える、請求項１に記載の方法。
【請求項３】
（ｂ１）各フェーズについて一組のプロファイルを受信するステップと；
（ｂ２）各フェーズからの一組の物理データを監視するステップと；
（ｂ３）前記各フェーズからの一組のプロファイルを、前記各フェーズからの一組の物理データと比較するステップと；
（ｂ４）前記（ｂ３）の比較に基づいて、各フェーズに対する制御応答を導出するステップと；
（ｂ５）前記制御応答を各フェーズに適用するステップと；
を更に備える請求項１又は２に記載の方法。
【請求項４】
前記有機材料が、原料、水及び乾燥活性酵母を含む作動流体である、請求項１〜３のいずれか一項に記載の方法。
【請求項５】
前記一組の物理データを監視することが、ｐＨレベル、ＣＯＤ、伝導度及び温度から成る群のうちの１つを監視することを含む、請求項３に記載の方法。
【請求項６】
前記有機材料が、約５〜１４日の間に処理される、請求項１〜５のいずれか一項に記載の方法。
【請求項７】
有機材料から微生物群落を含む製品を生産するための多フェーズバイオリアクタ系であって、
（ｃ１）有機材料の加水分解のための第１のフェーズ空間と；
（ｃ２）前記第１のフェーズ空間からの有機材料の酸生成及び酢酸生成のための第２のフェーズ空間であって、前記（ｃ１）の第１のフェーズ空間と一部重複する第２のフェーズ空間と；
（ｃ３）前記第２のフェーズ空間からの有機材料のメタン生成のための第３のフェーズ空間であって、前記（ｃ２）の第２のフェーズ空間と一部重複する第３のフェーズ空間と；
（ｃ４）前記（ｃ３）の有機材料の安定化及び先祖返りのための第４のフェーズ空間であって、前記（ｃ３）の第３のフェーズ空間と一部重複する第４のフェーズ空間と；
を備える多フェーズバイオリアクタ系。
【請求項８】
前記系が、低温殺菌装置及び濃縮装置の少なくとも一方を更に備える、請求項７に記載の多フェーズバイオリアクタ系。
【請求項９】
前記第１〜第４のフェーズ空間それぞれの監視及び検出の少なくとも一方を行うための手段を更に備える、請求項７又は８に記載の多フェーズバイオリアクタ系。
【請求項１０】
（ｄ１）前記第１のフェーズ空間において、有機材料を含む作動流体を第１の循環速度で、第１のフェーズ及び前記第１のフェーズ空間中の第２のフェーズを通じて再循環させつつ、前記作動流体を前記第２のフェーズ空間に液体送り速度で渡し；
（ｄ２）前記第２のフェーズ空間において、作動流体を第２の循環速度で、前記第２のフェーズ及び前記第２のフェーズ空間内の第３のフェーズを通じて再循環させつつ、前記作動流体を前記第３のフェーズ空間に前記液体送り速度で渡し；
（ｄ３）前記第３のフェーズ空間において、作動流体を前記第２の循環速度で、前記第２のフェーズ、前記第３のフェーズ及び第４のフェーズを通じて再循環させつつ、前記作動流体を前記第４のフェーズ空間に前記液体送り速度で渡し；
（ｄ４）前記第４のフェーズ空間が、作動流体を前記第２の循環速度で、前記第３のフェーズ及び前記第４のフェーズを通じて再循環させつつ、前記作動流体を出口ポートに前記液体送り速度で渡し；
前記第１の循環速度及び前記第２の循環速度の少なくとも一方が、前記液体送り速度に比例し、
これによって、前記第１のフェーズ空間に導入されるときの作動流体は、前記第１のフェーズ空間、前記第２のフェーズ空間、前記第３の（フェーズ）空間及び前記第４のフェーズ空間を順次通過して、前記微生物産生物を出口ポートで産出する、請求項７〜９に記載の多フェーズバイオリアクタ系。
【請求項１１】
各フェーズ空間が、複数の微生物を含み、
（ｅ１）前記第１のフェーズ空間が、メタン生成、硫黄還元、脱塩素化、鉄酸化、硝化及び芳香族分解からなる群から選択される代謝機能のうちの少なくとも１つを有する微生物を含み；
（ｅ２）前記第２のフェーズ空間が、メタン生成、脱塩素化、芳香族分解、脱窒、硝化、アナモックス及び高ＣＯ２からなる群から選択される代謝機能のうちの少なくとも１つを有する微生物を含み；
（ｅ３）前記第３のフェーズ空間が、芳香族分解、脱窒、硝化、従属栄養体、メタン資化性菌、及び高ＣＯ２からなる群から選択される代謝機能のうちの少なくとも１つを有する微生物を含み；
（ｅ４）前記第４のフェーズ空間が、メタン生成、芳香族分解、脱窒、従属栄養体、硝化、嫌気性生物、硫黄酸化、アナモックス、高ＣＯ２、及び鉄酸化からなる群から選択される代謝機能のうちの少なくとも１つを有する微生物を含む；
請求項７〜１０のいずれか一項に記載の多フェーズバイオリアクタ系。
【請求項１２】
各フェーズ空間が、複数の微生物を含み、
（ｆ１）前記第１のフェーズ空間内では、前記微生物のうちの少なくとも１つが、シントロファス属（Syntrophus）、デスルフォビブリオ属（Desulfovibrio）、シンビオバクテリア属（Symbiobacteria）、ゲオルグフューシャ属（Georgfuschia）、又は、ニトロソモナス属（Nitrosomonas）であり；
（ｆ２）前記第２のフェーズ空間内では、前記微生物のうちの少なくとも１つが、シントロファス属（Syntrophus）、シンビオバクテリア属（Symbiobacteria）、ゲオルグフューシャ属（Georgfuschia）、サウエラ属（Thauera）、フラボバクテリウム属（Ｆｌａｖｏｂａｃｔｅｒｉｕｍ）、ニトロソモナス属（Nitrosomonas）、オーウェンウィークシア属（Owenweeksia）、又は、スフィンゴモナス属（Sphingomonas）であり；
（ｆ３）前記第３のフェーズ空間内では、前記微生物のうちの少なくとも１つが、ゲオルグフューシャ属（Georgfuschia）、サウエラ属（Thauera）、フラボバクテリウム属（Ｆｌａｖｏｂａｃｔｅｒｉｕｍ）、ニトロソモナス属（Nitrosomonas）、セディミニ属（Sedimini）、メチロノマス属（ Methylonomas）、又は、スフィンゴモナス属（Sphingomonas）であり；
（ｆ４）前記第４のフェーズ空間内では、前記微生物のうちの少なくとも１つが、シントロファス属（Syntrophus）、デスルフォビブリオ属（Desulfovibrio）、シンビオバクテリア属（Symbiobacteria）、ゲオルグフューシャ属（Georgfuschia）、サウエラ属（Thauera）、ニトロソモナス属（Nitrosomonas）、ベリリネア属（Bellilinea）、スルフリタレア属（Sulfuritalea）、及び、オーウェンウィークシア属（Owenweeksia）である；
請求項７〜１１のいずれか一項に記載の多フェーズバイオリアクタ系。
【請求項１３】
前記系が、さらに
（ｇ１）前記第１のフェーズ空間に接続された、前記作動流体を混合して、前記作動流体を前記第１のフェーズ空間に、ある負荷速度で流すための保持タンクと；
（ｇ２）前記第４のフェーズ空間に接続された低温殺菌装置と；
（ｇ３）前記低温殺菌装置に接続された濃縮装置と；
を備える請求項７〜１２のいずれか一項に記載の多フェーズリアクタ系。
【請求項１４】
前記液体送り速度に比例した前記第１の循環速度が、毎分１ガロンの前記液体送り速度に対して、毎分２０ガロンから毎分４０ガロンまでの範囲内の第１の比率となる循環速度である、請求項１０に記載のバイオリアクタ系。
【請求項１５】
前記液体送り速度に比例した前記第２の循環速度が、毎分１ガロンの前記液体送り速度に対して、毎分２５ガロンから毎分３５ガロンまでの範囲内の第２の比率となる循環速度である、請求項１０に記載のバイオリアクタ系。
【請求項１６】
前記多フェーズバイオリアクタ系が、
（ｈ１）各フェーズ空間に操作可能に連結された一組の系制御部と；
（ｈ２）各フェーズ空間に操作可能に連結された一組の系センサと；
（ｈ３）前記一組の系センサから導出された一組のフェーズデータの組と；
（ｈ４）一組のフェーズプロファイルと；
を備える請求項７〜１５のいずれか一項に記載の多フェーズバイオリアクタ系。
【請求項１７】
前記第１〜第４フェーズ空間が、連続無瞬断管内に形成される、請求項７〜１６のいずれか一項に記載の多フェーズリアクタ系。
【請求項１８】
請求項１〜６のいずれか一項に記載の方法により得られた微生物生産物。
【請求項１９】
土壌添加剤、土壌改良剤及び微生物活性剤からなる群から選ばれるいずれかのものである、請求項１８に記載の微生物生産物。
【請求項２０】
以下の特徴を有する、土壌改良剤：
（ｉ１）約７．５〜８のｐＨを有する、
（ｉ２）約１５０ｍｇ／Ｌ未満のＣＯＤ範囲、
（ｉ３）約６００μＳ〜１４００μＳの伝導度範囲、
（ｉ４）白金：コバルト（ｐｔ／ｃｏ）スケールにおいて、約５００ｐｔ／ｃｏ単位〜約７００ｐｔ／ｃｏ単位の間の透明な琥珀色、
（ｉ５）シントロファス属（Syntrophus）、デスルフォビブリオ属（Desulfovibrio）、シンビオバクテリア属（Symbiobacteria）、ゲオルグフューシャ属（Georgfuschia）、サウエラ属（Thauera）、ニトロソモナス属（Nitrosomonas）、ベリリネア属（Bellilinea）、スルフリタレア属（Sulfuritalea）、及び、オーウェンウィークシア属（Owenweeksia）を含む、
（ｉ６）１ｍＬ当たり１０７個の微生物を超えるバイオマスを有する、
（ｉ７）約１０〜６０ｎｇ／ｍＬのDNAを含有する、
（ｉ８）少なくとも８種類の微生物種を含む。
【手続補正２】
【補正対象書類名】図面
【補正対象項目名】図６
【補正方法】変更
【補正の内容】
【図６】
2014530752.tif 000001
【手続補正３】
【補正対象書類名】図面
【補正対象項目名】図７
【補正方法】変更
【補正の内容】
【図７】
2014530752.tif 000002